(57)【要約】      （修正有）【課題】木材の表面に入皮、割れ目、死に節、欠落箇所を持つ無垢木材を浮き立たせ、外観上は無垢木材の割れ目、死に節の欠落箇所で浮き立たせた装飾性天然木を使用した樹脂で修正した装飾模様をもつ無垢木製テーブルを提供する。【解決手段】表面に入皮、割れ目、又は死に節、欠落箇所１を持つ厚さ２０〜１００ｍｍの無垢木材を浮き立たせた装飾板材を使用した幅９００〜１２００ｍｍ、長さ１２００〜２４００ｍｍのテーブルにおいて、前記無垢木材の表面に存在する最大欠落部の位置で幅２０〜１００ｍｍ、長さ５０〜７００ｍｍの大きさをもつ、入皮、割れ目、欠落箇所、死に節１に透明樹脂３を埋め込んでいる欠落装飾模様呈している場所を１〜５箇所に装飾修正されている前記装飾板材を天板８、及び脚材９に使用されている欠落天然木を浮き立たせた樹脂３で修正した装飾模様をもつ無垢木製テーブルである。【選択図】図１
0003217083.tif 000002
【実用新案登録請求の範囲】
【請求項１】
表面に入皮、割れ目、又は死に節、欠落箇所を持つ厚さ２０〜１００ｍｍの無垢木材を浮き立たせた装飾板材を使用した幅８００〜１０００ｍｍ、長さ１２００〜２４００ｍｍのテーブルにおいて、前記無垢木材の表面に存在する最大欠落部の位置で幅１０〜５０ｍｍ、長さ５０〜７００ｍｍの大きさをもつ、入皮、割れ目、欠落箇所、死に節に透明樹脂を埋め込んでいる欠落装飾模様に呈している場所を１〜５箇所で装飾修正されている前記装飾板材を天板、及び脚材に使用されていることを特徴とする欠落天然木を浮き立たせた樹脂で修正した欠落部装飾模様をもつ無垢木製テーブル。
【請求項２】
表面に入皮、割れ目、死に節、欠落箇所を持つ厚さ２０〜１００ｍｍの無垢木材は、ウォールナット、ケヤキ、クリ、チェリー、オークから選ばれた材料の、幅２００〜５００ｍｍ、長さ１２００〜２４００ｍｍであって、表面に入皮、割れ目、又は死に節の欠落箇所のうちどちらか１〜２箇所をもって、前記割れ目、死に節、欠落を持つ箇所の表面部を表面上で磨いて樹脂の接着性を向上させて、前記欠落箇所の特性を維持した装飾性欠落形状を残していることを特徴とする請求項１に記載の欠落天然木を浮き立たせた樹脂で修正した欠落部装飾模様をもつ無垢木製テーブル。
【請求項３】
前記無垢木材の表面に前記入皮、割れ目、又は死に節の欠落箇所の表面部を浮き立たせた装飾材を製作する当たり、前記割れ目、死に節の欠落箇所の表面部を研磨することによって得られた前記無垢木材の欠落箇所の表面に粘性状樹脂材を流し込み、固化して表面上を磨いて透明を持たせた装飾性透明樹脂の埋め込み部にしていることを特徴とする請求項１又は請求項２に記載の欠落天然木を浮き立たせた樹脂で修正した欠落部装飾模様をもつ無垢木製テーブル。
【請求項４】
透明性の樹脂は、ビスフェノールＡとエピクロルヒドリンの共重合体であるエポキシ樹脂であって、硬化剤を添加した粘性状樹脂原料を前記無垢木材の前記割れ目、又は死に節の欠落箇所全体に練り込み、樹脂の硬化後に樹脂表面を研磨して、透明性を高めて内部の割れ目、死に節の欠落箇所の表面形状の特性を表現できるようにしていることを特徴とする請求項１〜請求項３のいずれかに記載の欠落天然木を浮き立たせた樹脂で修正した欠落部装飾模様をもつ無垢木製テーブル。
【請求項５】
表面に入皮、割れ目、死に節の欠落箇所を持ち、その箇所を透明樹脂で修整させた無垢木材と表面に割れ目、死に節、欠落箇所を持たない無垢木材とを種々接合した天板と脚板にして、前記天板の無垢木材部の表面は、研磨した後に保護剤として、植物性油脂、液体ウレタン樹脂と家具に適した顔料からなる保護塗料によって研磨した部分に塗布した装飾表面に仕上げ、前記天板の割れ目、死に節の欠落箇所には、透明樹脂で修整した箇所の裏面で発光できる照明具を取り付けていることを特徴とする請求項１〜請求項４のいずれかに記載の樹脂で修正した欠落部装飾模様をもつ無垢木製テーブル。
【考案の詳細な説明】
【技術分野】
【０００１】この考案は、天然の無垢の木材を装飾材にする場合に、木材の表面に割れ目、欠落箇所、死に節を持つ無垢木材を浮き立たせ、または木材の割れ目、節のある木材に、外観上は無垢木材の割れ目、欠落箇所、死に節で浮き立たせた装飾性天然木を使用した樹脂で修正した装飾模様をもつ無垢木製テーブルに関する。
【背景技術】
【０００２】従来、節のある木材は、節の無い木材に比べて一般的には品質が落ちるものとされ、特に家具のように、木材の木肌をそのまま見せる部分では、節のない木材を選ぶか、節をかくした材料を使用して、家具の表面を装飾している（特許文献１参照）。【０００３】  しかし、木製材の表面に透明な塗装を施し、透明塗装後の木製材の表面を無秩序に削ることにより微細な凹凸を形成して乱反射面とする効果を使用して、意匠性を持たせるものを提供されている（特許文献２参照）。【０００４】  一方、見栄えの面で見える部分での使用が嫌われがちな節のある木材は、住宅の見えない部分の構造材に使用されることが多いが、そのように使用が限定される状況が続くと、有限で貴重な木材資源を有効に活用できないこととなる。
また木材の対象表面に多数のブラシ毛の先端を当接させて相対移動させることにより多数の溝を形成したデザイン性の装飾材に使用としている（特許文献３参照）。【０００５】  反面そのような状況で、木材の特徴である波状の形成からその面を特徴つけると、装飾材の可能性が十分に高くなり、また木材の天然性がある節のある木材が廃材から有効な木材資源として活用して行くことができる。木材の天然性と自然性を高めるために節付きの木材の使用が期待されている。これらの家具の需要も要望されている。【０００６】オンリーワンの独創的な家具において安価に、自由度を高めたものであって、安価で自然感をもたらされた突板を使用した家具を提供することで、節を有する突板を貼った木製材料を前板に使用した家具の表面板、及び天板、及び側板に、０．１〜０．５ｍｍの厚さで、板面に節の大きさ１０〜７０ｍｍを、１個〜５個を有する突板を張り付けている化粧板を使用している節入り突板張り化粧板を使用した家具の提案がある（特許文献４参照）。【０００７】木材の表面に割れ目、欠落箇所、死に節を持つ無垢木材は、今までは処分されていた、しかし割れ目、欠落箇所、死に節を持つ箇所は特有の形状、状態を維持して、模様的には有効に活用できるものである。この割れ目、欠落箇所、死に節を浮き立たせ、外観上は無垢木材の割れ目、欠落箇所、死に節を木材を活用して、その部分を浮き立たせた装飾性天然木を使用したものはなく、更に樹脂で修正した装飾模様を出さした木材、更に天板を持つ木製テーブルも存在しない。
【先行技術文献】
【特許文献】
【０００７】
【特許文献１】特開２０００−２５０１４号公報
【特許文献２】特開平１１−３１４２０７号公報
【特許文献３】特開平１１−７７６１２号公報
【特許文献４】実用新案登録第３２１１２７９号公報
【考案の概要】
【考案が解決しようとする課題】
【０００８】木材の表面に割れ目、欠落箇所、死に節を持つ無垢木材は、今までは処分され家具の材料には使用されていなかった。しかし割れ目、欠落箇所、死に節を持つ箇所は特有の形状、状態をもっており、特殊な模様としてオンリーワンの装飾体にもなる、この割れ目の形状、あるいは節の形状を天板の特有の模様的に活用できることも可能性もある。この割れ目、欠落箇所、死に節を浮き立たせ、外観上は無垢木材の割れ目、欠落箇所、死に節を活用して、その部分を浮き立たせた装飾性天然木を仕上て、材料として使用して行くことも必要となっている。またその箇所に樹脂で修正した装飾的模様を出さした木材、更に天板を持つ木製テーブルも期待されている。【０００９】木材の表面の意匠を持たせるために、全体、部分的に割れ目、欠落箇所、死に節を持つ箇所は特有の形状、状態をもっており、特殊な模様としてオンリーワンの装飾体に活かす方法として、木材の割れ目、欠落箇所、死に節の箇所に樹脂で修正した装飾的模様を出さした部分が自然に浮き出たような感じにすることが考えられる。装飾材として家具に使用して自然性を高めることを期待されている。【０００９】この考案の課題は、割れ目、欠落箇所、死に節の箇所を持つ天然の無垢木材の表面の装飾意匠性を高める方法して、木材に割れ目、欠落箇所、死に節の箇所に樹脂で修正した装飾的模様を出さした部分を特徴付けて装飾性を持たせる。それにより木材の本来の特性である天然性が生かされ装飾材として家具に使用すれば、今までにない趣をもった加工材になり、商品価値の高い家具が得られるようにする。さらにこの考案の課題は木材の特定の木材の表面を、外観上に割れ目、欠落箇所、死に節の箇所を樹脂で修整して、表面を浮き上がらせる処理をするとともに、自然な外観の板ように趣のある家具が得られるようになる。
【課題を解決するための手段】
【００１１】表面に入皮、割れ目、又は死に節、欠落箇所を持つ厚さ２０〜１００ｍｍの無垢木材を浮き立たせた装飾板材を使用した幅８００〜１０００ｍｍ、長さ１２００〜２４００ｍｍのテーブルにおいて、前記無垢木材の表面に存在する最大欠落部の位置で幅１０〜５０ｍｍ、長さ５０〜７００ｍｍの大きさをもつ、入皮、割れ目、欠落箇所、死に節に透明樹脂を埋め込んでいる欠落装飾模様に呈している場所を１〜５箇所で装飾修正されている前記装飾板材を天板、及び脚材に使用されている欠落天然木を浮き立たせた樹脂で修正した欠落部装飾模様をもつ無垢木製テーブルである。【００１２】表面に入皮、割れ目、死に節、欠落箇所を持つ厚さ２０〜１００ｍｍの無垢木材は、ウォールナット、ケヤキ、クリ、チェリー、オークから選ばれた材料の、幅２００〜５００ｍｍ、長さ１２００〜２４００ｍｍであって、表面に入皮、割れ目、又は死に節の欠落箇所のうちどちらか１〜２箇所をもって、前記割れ目、死に節、欠落を持つ箇所の表面部を表面上で磨いて樹脂の接着性を向上させて、前記欠落箇所の特性を維持した装飾性欠落形状を残している。【００１３】  前記無垢木材の表面に前記入皮、割れ目、又は死に節の欠落箇所の表面部を浮き立たせた装飾材を製作する当たり、前記入皮、割れ目、死に節の欠落箇所の表面部を研磨することによって得られた前記無垢木材の欠落箇所の表面に粘性状樹脂材を流し込み、固化して表面上を磨いて透明を持たせた装飾性透明樹脂の埋め込み部にしている。【００１４】透明性の樹脂は、ビスフェノールＡとエピクロルヒドリンの共重合体であるエポキシ樹脂であって、硬化剤を添加した粘性状樹脂原料を前記無垢木材の前記割れ目、又は死に節の欠落箇所全体に練り込み、樹脂の硬化後に樹脂表面を研磨して、透明性を高めて内部の入皮、割れ目、死に節の欠落箇所の表面形状の特性を表現できるようにしている。【００１５】表面に入皮、割れ目、死に節の欠落箇所を持ち、その箇所を透明樹脂で修整させた無垢木材と表面に割れ目、死に節、欠落箇所を持たない無垢木材とを種々接合した天板と脚板にして、前記天板の無垢木材部の表面は、研磨した後に保護剤として、植物性油脂、液体ウレタン樹脂と家具に適した顔料からなる保護塗料によって研磨した部分に塗布した装飾表面に仕上げ、前記天板の割れ目、死に節の欠落箇所には、透明樹脂で修整した箇所の裏面で発光できる照明具を取り付けている。照明具としてＬＥＤ，蛍光、白熱球である。【００１６】エポキシ樹脂系接着剤（Ｅｐｏｘｙ  ｒｅｓｉｎ  ａｄｈｅｓｉｖｅｓ）は、エポキシ樹脂を主成分とする接着剤は、硬化方式別に１液型と２液型があり、工業的には１液型、家庭用には２液型が主流。２液型ではビスフェノールＡとエピクロルヒドリンを縮合反応させたエポキシ樹脂プレポリマーに、アミン等の硬化剤を加えると、グラフト重合が起こり三次元高分子として経時的・熱硬化的に硬化・接着する。プレキュアでの初期接着性が高く、三次元的に重合した高分子の特性として耐水性・耐湿性・耐薬品性・電気絶縁性などに優れ、被着材の種類を選ばず強度や耐熱性にも優れた性質を持つ。さらには、エポキシ樹脂のタイプや硬化剤の種類を選ぶことにより接着性能を多様に設計できる。【００１７】保護剤は植物油脂として天然、あるいは合成したものが使用される。とくにヒマシ油、アマニ油、ヤシ油、菜種油、米ぬかワックスなどが好ましい。この植物油脂に一般に使用される顔料および添加剤を添加することができる。
【考案の効果】
【００１８】テーブルの天板に使用される、木材の表面に入皮、割れ目、欠落箇所、死に節を持つ無垢木材は、入皮、割れ目、欠落箇所、死に節を持つ箇所は特有の形状、状態をもっており、特殊な模様としてオンリーワンの装飾体にもなっている。この天板の無垢木材で割れ目の形状、あるいは節の形状を天板の特有の模様的に活用でき、その入皮、割れ目、欠落箇所、死に節を浮き立たせ、外観上は無垢木材の入皮、割れ目、欠落箇所、死に節が天板の装飾性に活用できた。またその入皮、割れ目、欠落箇所、死に節の部分を浮き立たせた装飾性天然木を仕上て、材料として使用することができた。またその欠落箇所に樹脂で修正した装飾的模様を出さした木材、更に天板を持つ無垢木製テーブルになった。
【図面の簡単な説明】
【００１９】
【図１】樹脂修正装飾模様をもつ無垢木製テーブルの斜視図
【図２】木材の表面に入皮、割れ目、欠落箇所、死に節を透明樹脂で修整して浮き立たせた天然木装飾材の図
【考案を実施するための形態】
【００２０】  無垢木材の表面に意匠性デザインを持たせるために、その表面と切削面の差を付けて、杢目を浮き立たせる方法として、無垢の木材における杢目の部分に欠落部を樹脂によって修正さて、自然の無垢材欠陥部を浮き出たような感じにする。この装飾材を家具に使用して意匠性、自然性を高めている。
この考案は、図１〜図４に示すように天然の無垢木材の表面の意匠性を高める方法して、木材の欠落部を樹脂で埋めてその面を特徴付けて、装飾性を持たせる無垢板を使用した家具を製作した。
【実施例１】
【００２１】  図１に示すような装飾材を作製するあたり、無垢の木材の厚さ２０ｍｍ、幅８４０ｍｍ、長さ１８２０ｍｍのウォールナット材（アメリカ産）を使用した。この考案は、家具に使用する木材の面を、テーブルの天板を見栄えと趣があるようにした装飾材である。天板の表面に入皮、割れ目、欠落箇所、又は死に節を持つ厚さ２６ｍｍの無垢木材を浮き立たせた装飾材を使用した幅９００ｍｍ、長さ１８００ｍｍのテーブルにおいて、無垢の木材の表面に存在する最大欠落部の位置で幅５０ｍｍ、長さ５００ｍｍの大きさをもつ、割れ目、欠落箇所、死に節に透明樹脂を埋め込んでいる欠落装飾模様呈している場所を２箇所に装飾修正された欠落天然木を浮き立たせた樹脂修正装飾模様をもつ木製テーブルであった。【００２２】表面に割れ目、欠落箇所、死に節を持つ厚さ２６ｍｍの無垢木材は、ウォールナットの材料の、幅５００ｍｍ、長さ１８００ｍｍであって、表面に割れ目、又は死に節の欠落箇所のうちどちらか１〜２箇所をもって、前記割れ目、死に節の欠落箇所の表面部を表面上で磨いて樹脂の接着性を向上させて、装飾性を維持した欠落形状を残した。【００２３】  前記無垢木材の表面に前記割れ目、又は死に節の欠落箇所の表面部を浮き立たせた装飾材を製作する当たり、前記割れ目、死に節の欠落箇所の表面部をえぐりカッターにより彫り込み、その部分をサンドペーパーにより順次に研磨することによって得られた前記無垢木材の欠落箇所の表面に溶融樹脂材を流し込み、固化して表面上を磨いて透明を持たせた装飾性透明樹脂埋め込み部にした。【００２４】透明性の樹脂は、ビスフェノールＡとエピクロルヒドリンの共重合体であるエポキシ樹脂であって、硬化剤を添加した樹脂原料を前記無垢木材の前記割れ目、又は死に節の欠落箇所全体に練り込み、樹脂の硬化後に樹脂表面を研磨して、透明性を高めたものであった。【００２５】図２に示すように表面に割れ目、死に節の欠落箇所を持ち、その箇所を透明樹脂で修整させた無垢木材と表面に割れ目、欠落箇所、死に節を持たない無垢木材とを種々接合した天板にして、前記天板の無垢木材部の表面は、研磨した後に保護剤として、植物性油脂、液体ウレタン樹脂と家具に適した顔料からなる保護塗料によって研磨した部分に塗布した装飾表面に仕上げた。
なおテーブルの装飾性を高めている前記天板の割れ目、死に節の欠落箇所は、透明樹脂で修整した箇所で発光できるように修整樹脂部の裏面に照明具を取り付けた。
【実施例２】
【００２１】  図１に示すような装飾材を作製するあたり、無垢の木材の厚さ２６ｍｍ、幅６００ｍｍ、長さ２１００ｍｍのウォールナット材を使用した。
この考案は、家具に使用する木材の面を、テーブルの天板を見栄えと趣があるようにした装飾材である。天板の表面に割れ目、欠落箇所、又は死に節を持つ厚さ２６ｍｍの無垢木材を浮き立たせた装飾材を使用した幅９００ｍｍ、長さ２１００ｍｍのテーブルにおいて、無垢の木材の表面に存在する最大欠落部の位置で幅３０ｍｍ、長さ７００ｍｍの大きさをもつ、割れ目、欠落箇所、死に節に透明樹脂を埋め込んでいる欠落装飾模様呈している場所を４箇所に装飾修正された欠落天然木を浮き立たせた樹脂修正装飾模様をもつ木製テーブルであった。【００２２】表面に割れ目、欠落箇所、死に節を持つ厚さ２６ｍｍの無垢木材は、ウォールナットの材料の、幅６００ｍｍ、長さ２１００ｍｍであって、表面に割れ目、又は死に節の欠落箇所のうちどちらか１〜４箇所をもって、前記割れ目、死に節の欠落箇所の表面部を表面上で磨いて樹脂の接着性を向上させて、装飾性を維持した欠落形状を残した。【００２３】  前記無垢木材の表面に前記割れ目、又は死に節の欠落箇所の表面部を浮き立たせた装飾材を製作する当たり、前記割れ目、死に節の欠落箇所の表面部をえぐりカッターにより彫り込み、その部分をサンドペーパーにより順次に研磨することによって得られた前記無垢木材の欠落箇所の表面に溶融樹脂材を流し込み、固化して表面上を磨いて透明を持たせた装飾性透明樹脂埋め込み部にした。【００２４】透明性の樹脂は、ビスフェノールＡとエピクロルヒドリンの共重合体であるエポキシ樹脂であって、硬化剤を添加した樹脂原料を前記無垢木材の前記割れ目、又は死に節の欠落箇所全体に練り込み、樹脂の硬化後に樹脂表面を研磨して、透明性を高めたものであった。【００２５】実施例１と同様に、表面に割れ目、死に節の欠落箇所を持ち、その箇所を透明樹脂で修整させた無垢木材と表面に割れ目、欠落箇所、死に節を持たない無垢木材とを種々接合した天板にして、前記天板の無垢木材部の表面は、研磨した後に保護剤として、植物性油脂、液体ウレタン樹脂と家具に適した顔料からなる保護塗料によって研磨した部分に塗布した装飾表面に仕上げた。独特の装飾性を示すテーブルになった。
【符号の説明】
【００２６】１．木材の割れ目、欠落箇所、又は死に節
２．天然木の装飾材
３．樹脂
４．照明具
５．無垢板
６．木目
７．節
８．天板
９．脚
【図１】
0003217083.tif 000003
【図２】
0003217083.tif 000004